(57)【要約】【課題】  通風性に富んだ衣類等が市場に流通していなかった。【解決手段】通風を促すフレームを設けた衣類等であり、着脱し易い構造のためその利便性を発揮するものである。手、指などを差し込むことができ、通風スペースを確保、形状を保持できる袖口等支持フレームを備えている衣類等、また、袖口等支持フレーム及び通風スペースを確保、形状を保持できる裾支持フレームの組み合わせからなる衣類等であり、それぞれのフレームは単独でも利用でき、既存の衣類等にも利用できるなどの特徴を有するものである。【選択図】  図１
2020059950.tif 000002
【特許請求の範囲】
【請求項１】
通風を促すフレームを設けた衣類等であって、手、指などを差し込むことができ、通風スペースを確保、形状を保持できる袖口等支持フレームを備えている衣類等。
【請求項２】
前記袖口等支持フレーム及び通風スペースを確保、形状を保持できる裾支持フレームの組み合わせからなる請求項１に記載の衣類等。
【発明の詳細な説明】
【技術分野】
【０００１】
本発明は、通風を向上させた衣類等に関する。
【背景技術】
【０００２】
従来の通気システムは、通気できてもその構造により、実用性に乏しいものであった。メッシュの設けられたダクト状の通気システムとして公開済みのものもある（特許文献１参照）。
【先行技術文献】
【特許文献】
【０００３】
【特許文献１】特表２０１４−５３０９６７号公報
【発明の概要】
【発明が解決しようとする課題】
【０００４】
密着性が少なく、通風性に富んだ衣類等が市場に流通していなかった（特許文献１参照）。
【０００５】
本発明は、支持フレームにより通風スペースを保持し、通気性を高め密着度を低くすることで、衣服等着用時の快適さの改善を目的とするものである。
【課題を解決するための手段】
【０００６】
本発明は上記目的を達成するために、通風を促すフレームを設けた衣類等であって、手、指を差し込むことができ、通風スペースを確保、形状を保持できる袖口等支持フレームを備えている衣類等である。また、前記袖口等支持フレーム及び通風スペースを確保、形状を保持できる裾支持フレームの組み合わせからなる衣類等である。
【発明の効果】
【０００７】
上述したように本発明の衣類等は、通風スペースがあり密着度が低く、着脱し易い構造のためその利便性を発揮するものである。また、裾の捲れあがりや下部からの雨の侵入と脚へのまとわり付きを防ぐフレームにより、更に快適に使用できる特徴を有する。
【図面の簡単な説明】
【０００８】
【図１】本発明の衣類等の実施例形態を示す側面図。
【図２】本発明の袖口等支持フレームの実施例を示す正面図（Ａ）及び側面図（Ｂ）。
【図３】本発明の袖口等支持フレームの他実施例を示す正面図（Ａ）及び側面図（Ｂ）。
【図４】本発明の裾支持フレームの実施例形態を示す平面図。
【発明を実施するための形態】
【０００９】
以下、本発明の実施形態を図１〜図４に基づいて説明する。
図１は、自転車に乗った時の体位の際に、本発明の袖口等支持フレーム６、裾支持フレーム７が付いた衣類等１０の例としてレインコート１を着用した実施例形態を示す側面図である。袖、裾部分の通風スペース８を作るための、袖口等支持フレーム６、裾支持フレーム７を破線で表示してある。袖口等支持フレーム６は、手、指を差し込むことができ、形状は、筒状や８の字、Ｕ字状などで、指、手の甲から手首周辺にかけて延長した形状にすることもできる。その形状は袖口部に通風スペース８が維持できるフレームであれば複数の筒状など種々変形したものでも良い。例えば、ポリエチレンなどの軽くて柔軟性のあるもので、手の動きを妨げない材料で構成されている。裾支持フレーム７は、自転車のハンドルの支柱の下方に挟み込み口９をはめ込み、自転車から降りる時に外れるような形状である。その形状は実施例形態に限定されず、衣類等に接着又は脱着して使用することができ、既存の衣類等に利用できる。（図中の矢印は風の流れを示す。）  
【００１０】
図２は、衣類等１０に備えた袖口等支持フレーム６の正面図（Ａ）及び側面図（Ｂ）の実施例を示す。指、手の上部に通風スペース８のある構造のフレームにより、風が通り抜け、袖口からの通気を改善させる。袖口等支持フレーム６は、自転車のハンドルを握るとずれ防止ができ、通風を促す構造である。手や指を差し込むことができ、形状は例えば複数の筒状や８の字状などで、指、手の甲から手首周辺にかけて延長した形状にすることもできる。側面図（Ｂ）は、袖口等支持フレーム６に指を差し込んだ形状の例である。その形状は袖口部に通風スペース８が維持できるものであれば種々変形したものであっても良い。例えば、ポリエチレンなどの軽くて柔軟性のあるもので、手の動きを妨げない材料で構成され、衣類等に接着、脱着又は単独で使用することができ、既存の衣類等にも利用することができる。また、袖口等支持フレーム６に指、手を差し込まない場合でも、袖口等支持フレーム６が袖口を開放して通風できる特徴を有する。
【００１１】
図３は、衣類等１０に備えた袖口等支持フレーム６の他実施例を示す正面図（Ａ）及び側面図（Ｂ）である。手の甲や手首などの上部に通風スペース８のある構造のフレームにより、風が通り抜け、袖口からの通気を改善させる。手、手首などを差し込むことができ、形状は、筒状や８の字、Ｕ字状などで、手の甲から手首周辺にかけて延長した形状にすることもできる。側面図（Ｂ）は、袖口等支持フレーム６を手首に差し込んだ形状の例である。その形状は袖口部に通風スペース８が維持できるフレームであれば複数の筒状など種々変形したものでも良い。例えば、ポリエチレンなどの軽くて柔軟性のあるもので、手の動きを妨げない材料で構成されており、袖支持フレーム７は、衣類等に接着、脱着又は単独で使用することができ、既存の衣類等にも利用することができる。
【００１２】
図４は、ハンドルの下方の支柱に取り付ける、裾支持フレーム７の実施例形態を示す詳細平面図である。自転車のハンドルの支柱の下方に挟み込み口９からはめ込み、自転車から降りる時に外れるような形状である。この構造により、裾支持フレーム７のずれ防止と本体裾部分の脚へのまとわり付きを防ぐことができる。図の実施例形態にかかわらず、裾支持フレーム７、挟み込み口９の形状は、例えば重ねるなど種々変形させることが可能である。裾支持フレーム７は、衣類等に接着、脱着又は単独で使用することができ、既存の衣類等にも利用できる。
【００１３】
このように、本発明は、通風を得るための支持フレームにより通気性が格段に良くなり、高温多湿な季節においてその効果は顕著である。本発明は前記実施例形態に限定されるものではなく、本発明の趣旨に基づいて種々変形させることが可能であり、それらを本発明から排除するものではない。また、複雑な構造でなく、概観は従来の衣類等そのものであり、安価な材料で製造でき市場への流通も期待できる。
【符号の説明】
【００１４】
１    レインコート
２    頭部フレーム
３    肩部フレーム
４    フレーム芯
５    フード後部通風口
６    袖口等支持フレーム
７    裾支持フレーム
８    通風スペース
９    挟み込み口
１０  衣類等
【図１】
2020059950.tif 000003
【図２】
2020059950.tif 000004
【図３】
2020059950.tif 000005
【図４】
2020059950.tif 000006
【手続補正書】
【提出日】令和2年3月1日(2020.3.1)
【手続補正１】
【補正対象書類名】特許請求の範囲
【補正対象項目名】全文
【補正方法】変更
【補正の内容】
【特許請求の範囲】
【請求項１】
通風を促すフレームを設けた衣類であって、手、指を差し込むことができ、通風スペースを確保、手の甲や手首の上部に通風のための形状を保持できる袖口支持フレームを備えている衣類。
【請求項２】
前記袖口支持フレーム及び通風スペースを確保、自転車に挟み込み降りる時に外れる、形状を保持できる裾支持フレームの組み合わせからなる請求項１に記載の衣類。